(57)【特許請求の範囲】
【請求項１】
側方に開口する凹部（５）が形成され、該凹部（５）に、竿支持具のフック部（４ａ）によって掛止される被掛止部が設けられていることを特徴とする釣竿。
【請求項２】
凹部（５）に面する壁面（５ｂ）を左右に連結するように被掛止部としてのピン（６）が設けられている請求項１記載の釣竿。
【請求項３】
側方に開口する貫通孔（１４）が形成され、該貫通孔（１４）に、竿支持具のフック部（４ａ）によって掛止される被掛止部が設けられていることを特徴とする釣竿。
【請求項４】
請求項１記載の釣竿を支持するための竿支持具であって、釣竿の凹部（５）に挿入して被掛止部を掛止するフック部（４ａ）を備えていることを特徴とする竿支持具。
【発明の詳細な説明】
【０００１】
【発明の属する技術分野】
本発明は、釣竿及び釣竿を支持する竿支持具に関し、特に、主として船釣りに使用されて釣り用のリールが装着される釣竿、及び、船縁等に固定されて釣竿を支持する竿支持具に関する。
【０００２】
【従来の技術】
従来の竿支持具を図６を参酌しながら説明する。一般に、竿支持具は、船用のリールＳが装着された釣竿を支持するために使用される。この種の竿支持具は、釣竿を保持するための竿保持部Ａと、該竿保持部Ａの前方側で釣竿を下方側から支持する上方開口略Ｕ字状の竿受け部Ｂと、この竿支持具自体を船縁等に固定するための固定部Ｃとを備えている。
【０００３】
竿保持部Ａは、上下二つの挟持用部材５０を備え、両挟持用部材５０で釣竿を上下に挟持する構成、具体的には、両挟持用部材５０の両端部を各々ボルト５１で連結固定することにより、釣竿をリール装着部５２の後方位置におけるホールド位置において挟持する構成となっている。また、両挟持用部材５０は本体部５３に脱着可能に構成され、本体部５３からの分離はレバー５４の操作により行われる。尚、本体部５３は前記竿受け部Ｂと固定部Ｃとを備えている。
【０００４】
【発明が解決しようとする課題】
この種の竿支持具は、釣竿を支持した状態からレバー操作により瞬時に釣竿を竿支持具から離して釣りを行うことができるという利点を有している。しかしながら、釣竿に両挟持用部材５０が装着されたままの状態で釣りを行わなければならないため、例えば、釣竿を持つときに挟持用部材５０が邪魔になったり、釣竿を脇に挟んでいわゆるシャクリをする場合に挟持用部材５０が脇や腕に当たって違和感を感じたりする場合があった。また、釣竿への挟持用部材５０の装着作業や取り外し操作が面倒であり、船上であるため挟持用部材５０の紛失の心配もある。
【０００５】
それゆえに本発明は、上記従来の問題点に鑑みてなされ、竿支持具から釣竿を外して釣りをする場合にも快適に釣りを行うことができる釣竿及び竿支持具を提供することを課題とする。
【０００６】
【課題を解決するための手段】
本発明は、上記課題を解決すべくなされたものであり、本発明に係る釣竿は、側方に開口する凹部が形成され、該凹部に、竿支持具のフック部によって掛止される被掛止部が設けられていることを特徴とする。
【０００７】
特に、凹部に面する壁面を左右に連結するように被掛止部としてのピンが設けられていることが好ましい。
【０００８】
また、本発明に係る釣竿は、側方に開口する貫通孔が形成され、該貫通孔に、竿支持具のフック部によって掛止される被掛止部が設けられていることを特徴とする。
【０００９】
また、本発明に係る竿支持具は、請求項１記載の釣竿を支持するための竿支持具であって、釣竿の凹部に挿入して被掛止部を掛止するフック部を備えていることを特徴とする。
【００１０】
【発明の実施の形態】
以下、本発明に係る釣竿及び竿支持具の一実施形態について、図１乃至図４を参酌しつつ説明する。尚、上記従来の竿支持具と同一の構成についてはその説明を省略する。
図１は、本実施形態における釣竿の要部を示しており、１は竿本体で、２はリールを装着するためのリール装着部としてのリールシートである。
また、リールシート２から一定距離離間した後方位置には、リアグリップ３が装着されている。該リアグリップ３とリールシート２の間の領域が、釣竿を竿支持具の竿保持部で保持するためのホールド位置である。
【００１１】
かかる釣竿は、このホールド位置に、後述する竿支持具のフック部４ａにより掛止される被掛止部を備えている。以下、具体的に説明する。
竿本体１のホールド位置は、そのうちの一部が中実状に形成されており、この中実状の部位には、側方に開口した凹部５が形成されている。該凹部５は、全体として釣竿の軸方向に沿って縦長で、正面視略矩形の開口を有し、釣竿の中心に向かって形成されている。また、凹部５の両側壁面５ｂは、図１（ロ）の如く、略垂直面である一方、凹部５の前後壁面５ａは、図１（イ）の如く、開口に向けてテーパ状に広がった傾斜面となっている。尚、凹部５の底面５ｃは平坦面であり、凹部５は釣竿の中心線を若干越える程度の深さを有している。
【００１２】
そして、凹部５の略半分の深さ位置に、凹部５の両側壁面５ｂを連結するようにピン６が設けられている。このピン６は、金属製で、図１のように丸棒状であり、且つ、凹部５の長手方向の略中央位置に、釣竿の軸方向に対して略直交するように設けられている。このピン６が、フック部４ａにより掛止される被掛止部である。
【００１３】
尚、竿本体１のホールド位置における中実状領域は、プリプレグから形成された円筒部７に、該円筒部７とは別体に形成された中実体８が嵌挿固定されて構成されている。円筒部７には正面視略矩形の開口が形成され、且つ、中実体８にはピン６が取付固定されている凹部が形成され、凹部の開口を円筒部７の開口に合わせるように中実体８が円筒部７に嵌挿されている。該中実体８は、例えば、硬質プラスチックや金属等から構成される。
【００１４】
次に、以上の構成からなる釣竿を支持するための竿支持具について説明する。本実施形態における竿支持具にあっては、竿受け部と竿保持部と固定部とを備えている点は従来と同様であるが、竿保持部の構成が従来と異なっている。図２には、竿保持部を拡大且つ概略的に示している。
【００１５】
該竿支持具における竿保持部は、釣竿を挟持する従来の構成とは異なり、釣竿の被掛止部としてのピン６をフック部４ａで掛止する構成となっている。
具体的には、竿保持部は、スリット９が形成された保持部本体１０と、該保持部本体１０に軸支されたレバー体４とを備えている。保持部本体１０には、その上面に開口するように上下方向に沿ったスリット９が形成されており、該スリット９を左右に貫通する支軸１１によって前記レバー体４は回転可能に支持されている。このスリット９内で回動するレバー体４は、その一端部が上方に向けて略くの字状に形成されて前記フック部４ａを構成し、支軸１１を介してその反対側の他端部は保持部本体１０から後方に突出し、手で操作する操作部４ｂを構成している。尚、レバー体４は、図示しないバネによって操作部４ｂが下方側に付勢されている。
【００１６】
また、保持部本体１０の上端部１２は、釣竿の凹部５に挿入できるように、図２（イ）の如く、下方の部位よりも幅狭に形成されている。そして、この上端部１２の前後両面１２ａは図２（ロ）の如く、先細りとなるようにテーパ状の傾斜面となっている。保持部本体１０の上端部１２が釣竿の凹部５に挿入した際に、この上端部１２の前後両面１２ａが凹部５の前後壁面５ａに当接してその挿入動作が停止するようになっている。尚、保持部本体１０の上端部１２には、上方に開口する切欠部１３が形成されていて、釣竿への挿入の際においてピン６との干渉を防止する。前記スリット９によって保持部本体１０の上端部１２はその大部分が左右に二分されているので、二分された両部位に各々切欠部１３が形成されている。
【００１７】
以上の構成からなる釣竿と竿支持具の使用について説明すると、まず、竿支持具をその固定部により例えば船縁等に固定する。そして、釣竿を竿受け部に支持させると共に、ホールド位置の開口を下側にしてこの開口に保持部本体１０の上端部１２を挿入させる。保持部本体１０の上端部１２の前後両面１２ａが凹部５の前後両壁面５ａに当接して上端部１２の挿入動作が自動的に停止する。尚、挿入動作を行う際にはレバー体４の操作部４ｂを釣竿と共に把持する等してフック部４ａを前方側に待避させておく。
挿入動作が完了した後、レバー体４を回動させてフック部４ａでピン６を掛止する。この掛止により、釣竿は竿支持具と一体化するように確実に保持されて船縁に固定される。
【００１８】
一方、釣竿を竿支持具から離して手で把持する等して釣りを行う場合には、レバー体４の操作部４ｂを引き上げてレバー体４を回動させ、フック部４ａによるピン６の掛止状態を解除する。そして、リアグリップ３や図示しないフロントグリップを把持したり脇に挟んだりして釣りを行うが、その時でも、従来のような挟持用部材が釣竿に装着されていないので、その部材が邪魔になるということがない。特に、被掛止部としてのピン６が釣竿の外周面より内側に位置して外に出っ張っていないので、釣りを行う際の邪魔にならない。また、被掛止部であるピン６が釣竿自体に設けられているので、従来のようにその都度挟持用部材を釣竿に装着する作業が不要となり、また、紛失の心配もない。
【００１９】
更に、竿保持部が釣竿を保持した状態では、保持部本体１０の上端部１２が凹部５に係入し、釣竿と竿保持部の傾斜面同士が前後二箇所で密着するため、釣竿の保持の状態が安定する。即ち、釣竿の上方向への動きがフック部４ａによる掛止によって規制され、且つ、釣竿の下方向への動きが保持部本体１０により規制されることとなり、釣竿の上下の動きがフック部４ａと保持部本体１０とによって確実に規制されるので、釣竿の保持状態が安定するのである。しかも、保持部本体１０の上端部１２の前後両面１２ａが釣竿の凹部５の前後両壁面５ａに当接するので前後の動きも規制されて安定する。
また、レバー体４の回動動作でピン６の掛止、及びその解除を行う構成なるため、簡単に且つ瞬時に動作を行うことができる。
【００２０】
尚、レバー体４の操作部４ｂを下方側に付勢する手段としては、例えば、図５のように、支軸１１を巻回するように巻きバネ２０を設けることもできる。即ち、レバー体４の一側面側に巻きバネ２０を収容できるバネ収容凹部２１を設けておき、巻きバネ２０の一端部２０ａをバネ収容凹部２１に面した操作部４ｂ側の内壁面２２に当接させると共に、他端部２０ｂはレバー体４から前方に突出させて保持部本体１０におけるスリット９に面した前側内面１０ａに当接させる。巻きバネ２０の一端部２０ａがその弾性復元力によりレバー体４の操作部４ｂ側内壁面２２を下方に向けて押圧するため、レバー体４は操作部４ｂ側が下方になる方向に付勢される。尚、操作部４ｂを所定の位置で停止させるため、保持部本体１０のスリット９内下部後方側にはレバーストッパ２３が設けられている。
このように、レバー体４に付勢手段としての巻きバネ２０を内装することにより、付勢手段がレバー操作時に邪魔にならないという利点がある。
【００２１】
また、上述した構成では、ピン６を左右方向に沿って設けたが、逆に釣竿の軸方向に沿って設けることもできる。その場合、レバー体４の回動方向もそれに対応した方向とする。但し、上述したようにピン６を左右方向に設けると、凹部５を縦長に形成することによってピン６の前後に、フック部４ａの回動動作のための空間を形成しやすくなるという利点がある。
【００２２】
また、図１に二点鎖線にて示すように、凹部５に代えて貫通孔１４としてもよい。その他、被掛止部としてピン６以外の構成も無論採用でき、竿保持部や竿支持具の構成も本発明の意図する範囲内にいいて適宜変更可能である。
【００２３】
【発明の効果】
以上のように、従来のような挟持用部材を釣竿に装着しなくても、竿支持具のフック部が釣竿の被掛止部を掛止することにより確実に釣竿を保持でき、且つ被掛止部が外側に出っ張っていないので、竿支持具から外した場合に釣竿を持って快適に釣りを行うことができる。
【図面の簡単な説明】
【図１】本発明の一実施形態における釣竿の要部を示し、（イ）は縦断面図、（ロ）は（イ）のＰ−Ｐ断面図。
【図２】本発明の一実施形態における竿支持具の要部を示し、（イ）は側面図、（ロ）は（イ）のＱ−Ｑ断面図。
【図３】本発明の一実施形態の釣竿及び竿支持具の使用状態を示す要部断面図。
【図４】図３のＲ−Ｒ断面図。
【図５】他の実施形態の釣竿及び竿支持具の使用状態を示す要部断面図。
【図６】従来の竿支持具を示す正面図。
【符号の説明】
１…竿本体、２…リールシート、３…リアグリップ、４…レバー体、４ａ…フック部、４ｂ…操作部、５…凹部、５ａ…前後壁面、５ｂ…側壁面、５ｃ…底面、６…ピン（被掛止部）、７…円筒部、８…中実体、９…スリット、１０…保持部本体、１１…支軸、１２…上端部、１３…切欠部、１４…貫通孔、２０…巻きバネ、２１…バネ収容凹部、２２…内壁面、２３…レバーストッパ
【図１】
0004412843.tif 000002
【図２】
0004412843.tif 000003
【図３】
0004412843.tif 000004
【図４】
0004412843.tif 000005
【図５】
0004412843.tif 000006
【図６】
0004412843.tif 000007